(57)【要約】【課題】ラベル付き箱状ケースを容易に製造することができる折畳ケース及びラベル付き箱状ケースの製造方法を提供する。【解決手段】箱状ケースが扁平状に折り畳まれている折畳ケースであって、折畳ケースを箱状にした際に該箱状ケースよりラベル１ａの一部が突出するように、当該ラベル１ａが貼着されている。また、外面にラベル１ａが貼着されたラベル付き箱状ケースが扁平状に折り畳まれている折畳ケースの製造方法において、プラスチックシート１０を箱状ケースの展開図の外形に裁断することにより形成される展開シート１１を折り曲げて接着することにより扁平の筒状に折り畳まれた折畳ケースを形成すると共に、前記ラベル１ａを箱状ケースの外面となるプラスチックシート１０の部分、箱状ケースの外面となる展開シート１１の部分、あるいは、箱状ケースの外面となる折畳ケースの部分に貼着する。【選択図】　　　　　図１
2004075075.tif 000002
【特許請求の範囲】
【請求項１】
箱状ケースが扁平状に折り畳まれている折畳ケースであって、折畳ケースを箱状にした際に該箱状ケースよりラベルの一部が突出するように、当該ラベルが貼着されていることを特徴とする折畳ケース。
【請求項２】
箱状ケースが扁平状に折り畳まれている折畳ケースであって、箱状ケースの内面となる部分にラベルが貼着されていることを特徴とする折畳ケース。
【請求項３】
外面にラベルが貼着されたラベル付き箱状ケースが扁平状に折り畳まれている折畳ケースの製造方法において、プラスチックシートを箱状ケースの展開図の外形に裁断することにより形成される展開シートを折り曲げて接着することにより扁平の筒状に折り畳まれた折畳ケースを形成すると共に、前記ラベルを箱状ケースの外面となるプラスチックシートの部分、箱状ケースの外面となる展開シートの部分、あるいは、箱状ケースの外面となる折畳ケースの部分に貼着することを特徴とする折畳ケースの製造方法。
【請求項４】
内面にラベルが貼着されたラベル付き箱状ケースが扁平状に折り畳まれている折畳ケースの製造方法において、プラスチックシートを箱状ケースの展開図の外形に裁断することにより形成される展開シートを折り曲げて接着することにより扁平の筒状に折り畳まれた折畳ケースを形成すると共に、前記ラベルを箱状ケースの内面となるプラスチックシートの部分、あるいは、箱状ケースの内面となる展開シートの部分に貼着することを特徴とする折畳ケースの製造方法。
【発明の詳細な説明】
【０００１】
【発明の属する技術分野】
本発明は、箱状ケースが扁平状に折り畳まれている折畳ケース、及び、該折畳ケースの製造方法に関する。
【０００２】
【従来の技術】
従来、箱状ケースとして、その外面や内面に、印刷によって文字や図柄等が表示された表示部が形成されたものが知られている。このような箱状ケースは、扁平の筒状に形成された折畳ケースを、折り起こして組み立てることにより形成される。
【０００３】
そして、前記折畳ケースは、まず、プラスチックシートに印刷をして表示部を形成した後、該プラスチックシートに折曲罫線を形成すると共に、箱状ケースの展開図の外形に沿って裁断して展開シートを形成し、該展開シートを折曲罫線に沿って折り曲げて接着部を接着することによって製造されている。
【０００４】
【発明が解決しようとする課題】
ところで、上述の如く、表示部を印刷により形成することには、種々の問題がある。即ち、印刷では箱状ケースの形状に沿ってしか表示部を形成できないため、視覚的なインパクトを与えることが困難である。
【０００５】
また、例えば、キャンペーンで応募券などが表示された表示部を箱状ケースに設ける場合に印刷によって該表示部を形成すると、表示部を応募券として使用するとき、はさみなどで表示部を切り取らなければならず、箱状ケースより分離させることが困難となる。
【０００６】
さらに、印刷は大量生産で同じ図柄を連続して表示する場合には向いているが、少量生産では製造コストが高くなって不向きである。大量生産であっても、例えば、箱状ケース毎に部分的に異なる図柄を設けたい場合などは、印刷する図柄の種類が増え、この図柄毎に印刷を行わなければならないため、印刷回数が増えて製造コストが高くなってしまう。
【０００７】
そこで、箱状ケースにラベルを貼着することが考えられる。即ち、ラベルの一部を箱状ケースから突出するように貼着することで、インパクトのある箱状ケースを形成することが考えられる。しかしながら、箱状ケースにこのようにラベルを貼着することは、ラベルの全面を箱状ケースに貼着することに比して困難であり、作業性が悪い。
【０００８】
また、応募券が表示されたラベルを箱状ケースに貼着して、該ラベルを使用するときには箱状ケースから剥離させることで、応募券としてのラベルを箱状ケースから容易に分離させることが考えられる。そして、該ラベルを箱状ケースの内面に貼着することで、店頭での陳列時にラベルを剥離困難とすることができるため、いたずらなどで剥がされることを防止できる。しかしながら、その反面、箱状ケースの内面にラベルを貼着するときは、その貼着も困難になる。
【０００９】
それに加えて、該箱状ケースはプラスチックシートから構成されているために凹み易く、箱状ケースのどのような位置であってもラベルを貼着すること自体が難しくなる。即ち、箱状ケースにラベルを貼着するときに箱状ケースが変形するために当該ラベルを所定の位置に貼着することが困難になるという問題がある。
【００１０】
本発明は、斯かる実情に鑑み、ラベル付き箱状ケースを容易に製造することができる折畳ケース及び該折畳ケースの製造方法を提供することを課題とする。
【００１１】
【課題を解決するための手段】
上記課題を解決するために、本発明に係る折畳ケースは、箱状ケースが扁平状に折り畳まれている折畳ケースであって、折畳ケースを箱状にした際に該箱状ケースよりラベルの一部が突出するように、当該ラベルが貼着されていることを特徴とする。
【００１２】
かかる折畳ケースによれば、該折畳ケースを開函し箱状ケースとした際に、ラベルの一部が突出したラベル付き箱状ケースを容易に得ることができる。また、ラベルの一部が突出するように当該ラベルを箱状ケースに貼着することは、ラベルの全面を貼着することに比して困難であるが、本発明に係る折畳ケースには既にラベルが貼着されているため、ラベルの一部が突出したラベル付き箱状ケースを容易に製造することができる。さらに、折畳ケースを箱状ケースに開函した際に、ラベルは当該箱状ケースより突出するため、印刷による表示部を設ける場合に比してインパクトがあるラベル付き箱状ケースを得ることができる。
【００１３】
さらに、本発明に係る折畳ケースは、箱状ケースが扁平状に折り畳まれている折畳ケースであって、箱状ケースの内面となる部分にラベルが貼着されていることを特徴とする。
【００１４】
かかる折畳ケースによれば、該折畳ケースを開函することにより、内面にラベルが貼着されたラベル付き箱状ケースを容易に得ることができる。さらに、箱状ケースの内面にラベルを貼着することは、外面に貼着することに比して困難であるが、本発明に係る折畳ケースには既にラベルが貼着されているため、内面にラベルが貼着されたラベル付き箱状ケースを容易に製造することができる。また、該折畳ケースを開函することで形成される箱状ケースは、内面にラベルが貼着されているので店頭などで剥離困難にすることができると共に、印刷による表示部に比して箱状ケースから容易に分離させることができる。
【００１５】
また、本発明にかかる折畳ケースの製造方法としては、外面にラベルが貼着されたラベル付き箱状ケースが扁平状に折り畳まれている折畳ケースの製造方法において、プラスチックシートを箱状ケースの展開図の外形に裁断することにより形成される展開シートを折り曲げて接着することにより扁平の筒状に折り畳まれた折畳ケースを形成すると共に、前記ラベルを箱状ケースの外面となるプラスチックシートの部分、箱状ケースの外面となる展開シートの部分、あるいは、箱状ケースの外面となる折畳ケースの部分に貼着することを特徴とする。
【００１６】
かかる折畳ケースの製造方法によれば、箱状ケースの外面となる裁断前のプラスチックシートの部分、箱状ケースの外面となる展開シートの部分、あるいは箱状ケースの外面となる折畳ケースの部分にラベルを貼着することにより、平面状あるいは扁平状の状態で当該ラベルを貼着することができるため、変形し易い箱状ケースにラベルを貼着する方法に比して、ラベルを箱状ケースの外面となる部分に容易に貼着することができる。そのため、箱状ケースにラベルを貼着する方法に比して、ラベルを精度良く貼着することが可能となる。そして、折畳ケースには既にラベルが貼着されているため、該折畳ケースを箱状にすることで、外面にラベルが貼着されたラベル付き箱状ケースを容易に製造することができる。また、箱状ケース毎に部分的に異なる表示部を設ける場合や箱状ケースを少量生産する場合であっても、箱状ケースの外面となるプラスチックシートの部分、箱状ケースの外面となる展開シートの部分、あるいは箱状ケースの外面となる折畳ケースの部分にラベルを貼着することにより、プラスチックシートに直接印刷を行う場合に比して容易に表示部を設けることが可能となる。
【００１７】
さらに、本発明に係る折畳ケースの製造方法は、内面にラベルが貼着されたラベル付き箱状ケースが扁平状に折り畳まれている折畳ケースの製造方法において、プラスチックシートを箱状ケースの展開図の外形に裁断することにより形成される展開シートを折り曲げて接着することにより扁平の筒状に折り畳まれた折畳ケースを形成すると共に、前記ラベルを箱状ケースの内面となるプラスチックシートの部分、あるいは、箱状ケースの内面となる展開シートの部分に貼着することを特徴とする。
【００１８】
かかる折畳ケースの製造方法によれば、箱状ケースの内面となる裁断前のプラスチックシートの部分、あるいは、箱状ケースの内面となる展開シートの部分にラベルを貼着することにより、平面状の状態で当該ラベルを貼着することができるため、ラベルを箱状ケースの内面となる部分に容易に精度良く貼着することが可能となる。また、箱状ケースの内面にラベルを貼着することは、外面にラベルを貼着することに比して困難であるが、上述の如く、平面状の状態でラベルを貼着することによりラベルの貼着が容易に行えるため、内面にラベルが貼着されたラベル付き箱状ケースを容易に得ることができる。そして、折畳ケースには既にラベルが貼着されているため、該折畳ケースを箱状にすることで、内面にラベルが貼着されたラベル付き箱状ケースを容易に製造することができる。さらに、箱状ケース毎に部分的に異なる表示を設ける場合や箱状ケースを少量生産する場合であっても、箱状ケースの内面となるプラスチックシートの部分、あるいは、箱状ケースの内面となる展開シートの部分にラベルを貼着することにより、プラスチックシートに直接印刷を行う場合に比して容易に表示部を設けることが可能となる。
【００１９】
【発明の実施の形態】
以下、本発明の実施の形態を添付図面を参照して説明する。
【００２０】
まず、本発明に係る折畳ケースの一実施形態について説明すると、本実施形態の折畳ケースは、図１に示す如く、長手方向の折曲罫線３ａを介して連接された四つの側壁５，６，７，８と、側壁５に短手方向の折曲罫線３ｂを介して連接された上下の蓋部４ａ，４ｂとを有し、側壁７に連接された接着部９を他端側の側壁８に接着することで、折り畳まれた扁平の筒状に形成されたものである。
【００２１】
また、折畳ケースには、ラベル１ａ，１ｂが貼着されている。そして、該折畳ケースは、前記側壁５，６，７，８を折曲罫線３ａに沿って折り起こすことで角筒状となり、上下の蓋部４ａ，４ｂで上下開口部を閉塞することにより、図２に示す如く、内部空間に被収容物を収容可能な箱状ケースになる。
【００２２】
前記ラベル１ａ，１ｂは、外側ラベル１ａ及び内側ラベル１ｂからなり、各ラベル１ａ，１ｂは、合成樹脂製のシートや紙などからなるラベル基材と、ラベル基材の表面に設けられた表示部と、ラベル基材の裏面に積層された粘着層とを備え、粘着層を介して折畳ケースに貼着されている。また、表示部は、凸版輪転印刷や、グラビア印刷などの公知の印刷法によって形成され、被収容物の商品名や注意書きなどが表示されている。尚、ラベル基材が透明である場合には、表示部をラベル基材の裏面に設けてもよい。
【００２３】
前記各ラベル１ａ，１ｂについて個別に説明すると、図１に示す如く、外側ラベル１ａは、側壁５及び上蓋部４ａの外面（開函したときに箱状ケースの外面となる部分）に当接するように設けられていると共に、粘着層は、側壁５に当接している箇所にのみ積層されている。また、粘着層を全面に積層し、該粘着層の側壁５に当接しない部分を被覆して非接着状態としてもよい。即ち、外側ラベル１ａは、側壁５にのみ貼着されている。従って、前記折畳ケースを組み立てて箱状ケースにすると、図２に示す如く、前記外側ラベル１ａの上端が上蓋部４ａから離れ、起立状態で側壁５の上端縁から上方に突出する。
【００２４】
また、内側ラベル１ｂは、ラベル基材の裏面の全面に粘着層が積層され、側壁５の内面（開函したときに箱状ケースの側壁５の内面となる部分）に貼着されている。箱状ケースの内面となる面に貼着することにより、例えば、内側ラベル１ｂを剥離して応募券として使用する場合に、店頭などで内側ラベル１ｂを剥離困難にすることができる。
【００２５】
上記の如く、扁平状の折畳ケースに各ラベル１ａ，１ｂが貼着されているので、ラベル付き箱状ケースを容易に得ることができる。即ち、箱状ケースはプラスチックシートから形成されているので変形し易く、従って、箱状ケースに各ラベル１ａ，１ｂを貼着する場合は箱状ケースを形成するプラスチックシートが撓み易く変形するために各ラベル１ａ，１ｂの貼着は困難である。しかしながら、本実施形態に係る折畳ケースには既に各ラベル１ａ，１ｂが貼着されているため、該折畳ケースを開函することにより、ラベル付き箱状ケースを容易に得ることができる。
【００２６】
しかも、外側ラベル１ａは、箱状ケースの縁部から突出する位置に貼着されているが、箱状ケースに対してこのようにラベルを貼着することは、ラベルの全面を箱状ケースに貼着することに比して困難となる。しかし、本実施形態に係る折畳ケースには既に外側ラベル１ａが貼着されているため、該折畳ケースを開函することにより、外側ラベル１ａが貼着されたラベル付き箱状ケースを容易に得ることができる。
【００２７】
さらに、箱状ケースは筒状に形成されているので、該箱状ケースの内面にラベルを貼着することは、外面に貼着することに比して困難となるが、本実施形態に係る折畳ケースには既に内側ラベル１ｂが貼着しているため、該折畳ケースを開函することにより、内側ラベル１ｂが貼着されたラベル付き箱状ケースを容易に得ることができる。
【００２８】
箱状ケースから分離させる必要がある、例えば応募券のような表示部を設ける場合、印刷により表示部を形成する従来の箱状ケースでは、該表示部を箱状ケースから分離させるためには、はさみなどで切り取らなければならなかったが、ラベル１ａ，１ｂを貼着して表示部を形成することにより、該ラベル１ａ，１ｂを剥離することで箱状ケースから表示部を容易に分離させることができる。
【００２９】
また、折畳ケースを開函して箱状ケースにした際に、外側ラベル１ａは、側壁５の上端縁から突出するように設けられているため、箱状ケースの形状に沿ってしか表示部を形成できない印刷に比してインパクトのある表示部を形成することができる。さらに、箱状ケースが小型であっても、箱状ケース表面に直接印刷を行うよりも、目立つ大きな表示部を形成することが可能となる。
【００３０】
次に、このような折畳ケースの製造方法について説明する。まず、図３に示す如く、透明なポリエステルやポリプロピレン等の合成樹脂からなる厚さ０．１ｍｍ乃至０．５ｍｍの長尺シート（プラスチックシート）１０を長手方向に連続送りして、箱状ケースの側壁５の内面となる長尺シート１０の部分に内側ラベル１ｂを貼着する。具体的には、図３に示す如く、長尺シート１０の搬送方向に所定間隔を有して水平に設けられた二組の搬送コンベア１４，１５で前記長尺シート１０を挟持し、該搬送コンベア１４，１５を駆動させることにより、長尺シート１０を矢印Ｐ方向（図３では左方向）に連続的に搬送する。
【００３１】
また、この二組の搬送コンベア１４，１５の間には、長尺シート１０に内側ラベル１ｂを貼着するラベル貼着装置２０が設けられている。かかるラベル貼着装置２０は、長尺シート１０に向けて内側ラベル１ｂを搬送するラベルガイド２１と、内側ラベル１ｂを長尺シート１０に押圧して貼着する押圧ローラ２２とを備えている。
【００３２】
前記ラベルガイド２１は、その表面に長尺に形成された剥離紙２３が長手方向に摺動可能に配置されている。該剥離紙２３には、内側ラベル１ｂが所定間隔を有して剥離可能に貼着されており、剥離紙２３をラベルガイド２１に沿って摺動させることにより内側ラベル１ｂが長尺シート１０に向けて搬送されるように構成されている。そして、長尺シート１０に向けて搬送された剥離紙２３がラベルガイド２１の先端部分で鋭角に屈曲することにより、内側ラベル１ｂが剥離紙２３より剥離する。
【００３３】
ラベル貼着装置２０の動作について説明すると、まず、剥離紙２３をラベルガイド２１に沿って摺動させると、剥離紙２３がラベルガイド２１の先端部分で屈曲することにより、内側ラベル１ｂが剥離紙２３から剥離し、該剥離した内側ラベル１ｂは、押圧ローラ２２によって長尺シート１０に貼着される。剥離紙２３を長尺シート１０の搬送速度に応じて連続的又は間欠的に摺動させることにより、長尺シート１０の所定位置に内側ラベル１ｂを貼着することができる。
【００３４】
押圧ローラ２２の上方、即ち、長尺シート１０の表面側には、前記搬送コンベア１４，１５と同一の搬送速度で駆動するガイドコンベア２４を設けることが好ましく、ガイドコンベア２４を設けることにより各搬送コンベア１４，１５間で長尺シート１０が上下に揺動することを抑制できると共に、長尺シート１０が該ガイドコンベア２４と押圧ローラ２２によって挟持されるため、内側ラベル１ｂを長尺シート１０に確実に貼着することができる。尚、前記ガイドコンベア２４の代わりに搬送コンベア１４，１５と平行、即ち水平な台座を設けてもよく、この場合であっても、長尺シート１０が上下に揺動することを抑制できると共に、長尺シート１０が該台座と押圧ローラ２２によって挟持されるため、内側ラベル１ｂを長尺シート１０に確実に貼着することができる。
【００３５】
次に、図４に示す如く、内側ラベル１ｂが貼着された長尺シート１０の所定箇所に折曲罫線３ａ，３ｂを形成し、該長尺シート１０を連続送りして所定箇所をダイカットロールなどの回転刃で回転裁断し、連結部２によって長手方向に沿って連続的に連結された折畳ケースの展開シート１１…を形成し、該裁断により生じる不要部分１２（展開シート１１と連結部２を除く部分）を除去する。尚、裁断は、長尺シート１０を間欠送りさせて間欠裁断してもよい。
【００３６】
また、前記折曲罫線３ａ，３ｂは、例えば、一定深さの凹溝からなるもの、凹溝に所定間隔毎に貫通孔を設けたものや、凹溝の長手方向に沿って凹凸を形成したもの等、種々のものを採用することができる。
【００３７】
そして、連結部２を介して連結された展開シート１１を長手方向に連続送りして、箱状ケースの側壁５の外面となる展開シート１１の部分に外側ラベル１ａを貼着する。尚、外側ラベル１ａは、前記内側ラベル１ｂと略同様に構成されたラベル貼着装置によって貼着することができる。
【００３８】
次に、各ラベル１ａ，１ｂが貼着された展開シート１１を、長手方向に形成された折曲罫線３ａに沿って折り畳むと共に、接着部９の裏面側に接着剤１３を塗布し、該接着部９を折曲罫線３ａに沿って折り返して、接着部９を側壁８に貼り合わせることにより、扁平の筒状に成形する（図５参照）。その後、連結部２をカッター刃等によって切断除去することにより、扁平な筒状の折畳ケース（図１参照）を形成する。
【００３９】
上述の如く、本実施形態に係る折畳ケースの製造方法においては、外側ラベル１ａ及び内側ラベル１ｂを、それぞれ展開シート１１及び長尺シート１０（プラスチックシート）に貼着することにより、箱状ケースにラベル１ａ，１ｂを貼着する方法に比して、各ラベル１ａ，１ｂを容易に貼着することができる。即ち、箱状ケースは、内部に空間を有しており、しかも、プラスチックシートから構成されているために撓み変形し易く、各ラベル１ａ，１ｂを箱状ケースに押圧して貼着しようとすれば、該箱状ケースが変形して各ラベル１ａ，１ｂを貼着することが困難であるが、展開シート１１及び長尺シート１０は、平面状のコンベアや水平な台座の上にあるので各ラベル１ａ，１ｂを押圧して貼着しても変形し難く、当該各ラベル１ａ，１ｂを容易に貼着することができる。従って、折畳ケースには既に各ラベル１ａ、１ｂが貼着された状態となるので、箱状ケースにラベルを貼着する方法に比して、ラベル付き箱状ケースを容易に得ることができる。
【００４０】
しかも、外側ラベル１ａは、折畳ケースの状態で既に貼着されているため、箱状ケースの縁部から突出する位置に貼着されているにもかかわらず、貼着部分を押圧して容易に貼着できる。即ち、箱状ケースの縁部から突出する位置にラベルを貼着しようとするとラベルが曲がったりして不安定な状態となるため、ラベルの全面を箱状ケースに貼着することに比して、その貼着は困難となる。しかし、本実施形態に係る折畳ケースの製造方法にあっては、平面状の展開シート１１に外側ラベル１ａを押圧することで、当該外側ラベル１ａの貼着を容易に行うことができる。しかも、外側ラベル１ａを押圧しても展開シート１１は変形し難いため、外側ラベル１ａを所定の位置に精度良く貼着することができる。従って、折畳ケースは既に外側ラベル１ａが貼着された状態であるため、該折畳ケースを開函することで、外側ラベル１ａが貼着されたラベル付き箱状ケースを容易に製造することができる。
【００４１】
箱状ケースは筒状に形成されているので、その内面にラベルを貼着するには箱状ケース内にラベルを挿入して内面に押しつけなければならず、箱状ケースの外面にラベルを貼着することに比して、貼着が困難であるばかりか、箱状ケースの形状や大きさによっては、貼着できない場合もある。しかし、本実施形態に係る折畳ケースの製造方法においては、平面状の長尺シート１０に内側ラベル１ｂを貼着するため、当該内側ラベル１ｂの貼着を容易に行うことができる。しかも、内側ラベル１ｂを押圧しても長尺シート１０は変形し難いため、内側ラベル１ｂを所定の位置に精度良く貼着することができる。従って、折畳ケースは既に内側ラベル１ｂが貼着された状態であるため、該折畳ケースを開函することで、内側ラベル１ｂが貼着されたラベル付き箱状ケースを容易に製造することができるという利点を有する。
【００４２】
プラスチックシートに直接印刷をして表示部を形成する従来の箱状ケースは、当該箱状ケースを少量生産する場合は、大量生産する場合に比して製造コストが高くなってしまう。また、上記印刷では表示部の図柄の種類が増えると印刷回数が多くなるため、生産性が悪くなり製造コストが増加してしまう。そのため、少量生産の場合や箱状ケース毎に異なる図柄の表示部を設ける場合には不向きであった。しかし、ラベルを貼着して表示部を形成することにより、箱状ケースを少量生産する場合や箱状ケース毎に異なる表示部を設ける場合でも対応することができる。即ち、箱状ケースの内面や外面となる部分にラベル１ａ，１ｂを貼着して表示部を設けることにより、表示部が設けられた箱状ケースを容易に得ることができる。また、例えば、剥離紙２３に図柄の異なる表示部を有するラベル１ａ，１ｂを貼着し、該ラベル１ａ，１ｂをラベル貼着装置２０で連続して貼着することにより、生産性を低下させることなく、箱状ケース毎に異なった図柄の表示部を設けることができる。さらに、このようなラベル１ａ，１ｂは、平面状あるいは扁平状の状態で貼着するため、容易に貼着することができる。
【００４３】
更には、各ラベル１ａ，１ｂは、蒸着やホットスタンプなどによる特殊処理を施し易く、プラスチックシートへの直接印刷に比して、箱状ケースの加飾を効果的に行って商品の差別化を有効に行うことができる。
【００４４】
また、各ラベル１ａ，１ｂとしてバーコードなどを印刷したものを用いるのも有効である。更には、内側ラベル１ｂとして多重ラベルを用いれば能書きなどに好適である。
【００４５】
各内側ラベル１ｂを貼着する際に、長尺シート１０を搬送コンベア１４，１５などで挟持することにより、当該長尺シート１０の位置を安定させることができると共に、搬送コンベア１４，１５で連続搬送することにより、内側ラベル１ｂを連続的に貼着することができる。また、外側ラベル１ａを貼着する際も、上記のようなラベル貼着装置により貼着することで、当該外側ラベル１ａを安定的且つ連続的に貼着することができる。
【００４６】
また、各ラベル１ａ，１ｂは、ラベル貼着装置２０によって貼着されるため、効率的且つ所定の位置に正確に各ラベル１ａ，１ｂを貼着することができる。
【００４７】
尚、本発明の折畳ケース及び折畳ケースの製造方法は、上記した実施の形態に限定されるものではなく、本発明の要旨を逸脱しない範囲内において種々変更を加え得ることは勿論である。例えば、上記実施形態において、折畳ケースは、長尺に形成された長尺シート１０から形成したが、矩形のプラスチックシートから形成してもよい。即ち、前記展開シート１１よりも若干大きい矩形のプラスチックシートに内側ラベル１ｂを貼着した後、当該矩形のプラスチックシートに折曲罫線３ａ，３ｂを形成すると共に、所定箇所を裁断することにより、展開シート１１を形成してもよい。尚、この場合、展開シート１１は、予め分断された形状となる。
【００４８】
外側ラベル１ａは、必ずしも展開シート１１に貼着する必要はなく、長尺シート１０、又は折畳ケースに貼着してもよい。この場合でも、平面状あるいは扁平状の状態で貼着するので、外側ラベル１ａの貼着を容易に行うことができる。即ち、折畳ケースは既に外側ラベル１ａが貼着された状態となるので、該折畳ケースを開函することにより、ラベル付き箱状ケースを容易に製造することが可能となる。
【００４９】
また、内側ラベル１ｂにあっては、展開シート１１に貼着してもよい。展開シート１１に貼着した場合であっても、平面状の状態で貼着することができるので、内側ラベル１ｂを容易に貼着することができ、従って、折畳ケースは内側ラベル１ｂが既に貼着された状態となり、該折畳ケースを開函することでラベル付き箱状ケースを容易に得ることができる。
【００５０】
各ラベル１ａ，１ｂは折畳ケースに両方貼着する必要はなく、外側ラベル１ａのみ、あるいは内側ラベル１ｂのみが貼着されていてもよい。また、外側ラベル１ａ、又は内側ラベル１ｂをそれぞれ複数枚貼着してもよい。
【００５１】
上記実施形態においては、展開シート１１を図５に示す如く、折り畳んで扁平の筒状に形成した後に連結部２を切断除去しているが、長尺シート１０から展開シート１１を裁断するときに連結部２を設けることなく切除してもよい。
【００５２】
また、連結部２を切断除去可能な連結代として構成する以外にも、例えば、図６に示す如く、連結代を形成せずに上下の蓋部４ａ，４ｂをミシン目などの切離部を介して切離可能に構成することも可能である。
【００５３】
【発明の効果】
以上のように、本発明に係る折畳ケースは、箱状にした際に該箱状ケースより一部が突出するように、当該ラベルが貼着されているものであるため、該折畳ケースを開函することで、ラベルの一部が突出したラベル付き箱状ケースを容易に製造することができる。
【００５４】
さらに、本発明に係る他の折畳ケースは、箱状ケースの内面となる部分にラベルが貼着しているため、該折畳ケースを開函することで、内面にラベルが貼着されたラベル付き箱状ケースを容易に製造することができる。
【００５５】
また、本発明に係る折畳ケースの製造方法は、平面状あるいは扁平状の状態であるプラスチックシート、展開シート、あるいは折畳ケースにおける箱状ケースの外面となる部分にラベルを貼着するため、変形し易い箱状ケースにラベルを貼着する方法に比して、ラベルを箱状ケースの外面となる部分に容易に貼着することが可能となる。従って、折畳ケースを開函することで、外面にラベルが貼着されたラベル付き箱状ケースを容易に得ることができる。
【００５６】
本発明に係る折畳ケースの他の製造方法は、平面状の状態であるプラスチックシートあるいは展開シートにおける箱状ケースの内面となる部分にラベルを貼着するため、ラベルを箱状ケースの内面となる部分に容易に貼着することが可能となる。従って、折畳ケースを開函することで、内面にラベルが貼着されたラベル付き箱状ケースを容易に得ることができる。
【図面の簡単な説明】
【図１】本発明の実施形態に係る折畳ケースを示す斜視図。
【図２】同折畳ケースを組み立てることにより形成される箱状ケースを示す斜視図。
【図３】本発明の実施形態に係る折畳ケースの製造方法を示す側面図。
【図４】同折畳ケースの製造方法を示す平面図。
【図５】同折畳ケースの製造方法によって製造された折畳ケースを示す側面図。
【図６】他実施形態における折畳ケースの製造方法を示す平面図。
【符号の説明】
１ａ…外側ラベル、１ｂ…内側ラベル、２…連結部、３ａ，３ｂ…折曲罫線、４ａ…上蓋部、４ｂ…下蓋部、５，６，７，８…側壁、９…接着部、１０…長尺シート（プラスチックシート）、１１…展開シート、１３…接着剤、１４，１５…搬送コンベア、２０…ラベル貼着装置、２１…ラベルガイド、２２…押圧ローラ、２３…剥離紙、２４…ガイドコンベア
【図１】
2004075075.tif 000003
【図２】
2004075075.tif 000004
【図３】
2004075075.tif 000005
【図４】
2004075075.tif 000006
【図５】
2004075075.tif 000007
【図６】
2004075075.tif 000008